(57)【特許請求の範囲】
【請求項１】
光ディスクプレーヤを有する装置であって、
第１の透明な層と第２の層との間に埋め込まれた反射層を有する光ディスクから固有データ及び付帯データを別個に読み込むよう適合されたディスク読み込み用サブシステムと、
前記付帯データに基づき、前記ディスク読み込み用サブシステムの動作を制御するよう適合された読込コントローラとを備え、
前記固有データは、前記光ディスクの埋込みマークに対応し、
前記埋込みマークは、前記反射層により規定されたピット及びランドであり、
前記付帯データは、前記光ディスク上のオルタナティブマークにより表され、
前記ディスク読み込み用サブシステムが第１の埋込みマークを読み込むための第１の読み込み位置にあるときに、第１のオルタナティブマークが前記第１の読み込み位置と前記第１の埋込みマークとの間に位置するように、前記第１のオルタナティブマークは、前記第１の埋込みマークに対応して配置され、
前記ディスク読み込み用サブシステムは、単一のレンズ組立体を含み、
前記レンズ組立体は、第１の焦点設定で、前記第１の読み込み位置から、前記第１の埋込みマークを読み込むよう適合され、
前記レンズ組立体は、非焦点の焦点設定で、前記第１の読み込み位置から、前記第１のオルタナティブマークを読み込むよう適合されている、装置。
【請求項２】
請求項１に記載の装置であって、
前記ディスク読み込み用サブシステムは、埋込みマークに対応するデータ及び前記オルタナティブマークに対応するデータを読み込むよう適合されたレンズ組立体を含み、
前記レンズ組立体は、さらに、
（ｉ）第１のレベルの光解像度において、前記埋込みマークに対応する第１の組のデータ、及び
（ｉｉ）前記第１のレベルとは異なる第２のレベルの光解像度において、前記オルタナティブマークに対応する第２の組のデータ
を生成するよう適合されている、装置。
【請求項３】
光ディスクプレーヤを有する装置であって、
第１の透明な層と第２の層との間に埋め込まれた反射層を有する光ディスクから固有データ及び付帯データを別個に読み込むよう適合されたディスク読み込み用サブシステムと、
前記付帯データに基づき、前記ディスク読み込み用サブシステムの動作を制御するよう適合された読込コントローラとを備え、
前記固有データは、前記光ディスクの埋込みマークに対応し、
前記埋込みマークは、前記反射層により規定されたピット及びランドであり、
前記付帯データは、前記光ディスク上のオルタナティブマークにより表され、
前記オルタナティブマークは、合焦点光に対して十分に透明であるが、非焦点光に対して十分に反射性である１つ以上の色からなり、
前記ディスク読み込み用サブシステムが第１の埋込みマークを読み込むための第１の読み込み位置にあるときに、第１のオルタナティブマークが前記第１の読み込み位置と前記第１の埋込みマークとの間に位置するように、前記第１のオルタナティブマークは、前記第１の埋込みマークに対応して配置され、
前記ディスク読み込み用サブシステムは、
（ｉ）第１のレベルの光解像度において、埋込みマークに対応する第１の組のデータを生成するよう適合されたレンズ組立体と、
（ｉｉ）前記第１のレベルとは異なる第２のレベルの光解像度において、前記オルタナティブマークに対応する第２の組のデータを生成するよう適合され、前記レンズ組立体とは異なるオルタナティブマーク検出器とを含む、装置。
【請求項４】
請求項１又は２に記載の装置であって、
前記読込コントローラは、前記付帯データが１つ以上の特定の条件を満たすかどうかを判定するよう適合され、
前記読込コントローラが、前記付帯データが前記１つ以上の特定の条件を満たさないと判定する場合、前記読込コントローラは、前記光ディスクのこれ以上の使用を中止するよう適合され、
前記光ディスクは、ソフトウェアプログラムに対応する埋込みマークを含み、
前記読込コントローラが、前記付帯データが前記１つ以上の特定の条件を満たさないと判定する場合、前記読込コントローラは、前記ディスク読み込み用サブシステムが前記光ディスクから前記ソフトウェアプログラムを読み込むことができないようにする、装置。
【請求項５】
請求項３に記載の装置であって、
前記読込コントローラは、前記付帯データが１つ以上の特定の条件を満たすかどうかを判定するよう適合され、
前記読込コントローラが、前記付帯データが前記１つ以上の特定の条件を満たさないと判定する場合、前記読込コントローラは、前記光ディスクのこれ以上の使用を中止するよう適合され、
前記光ディスクは、ソフトウェアプログラムに対応する埋込みマークを含み、
前記読込コントローラが、前記付帯データが前記１つ以上の特定の条件を満たさないと判定する場合、前記読込コントローラは、前記ディスク読み込み用サブシステムが前記光ディスクから前記ソフトウェアプログラムを読み込むことができないようにする、装置。
【請求項６】
光ディスクライタを有する装置であって、
光ディスクへ付帯データを書き込むよう適合されたディスク書込み用サブシステムと、
前記ディスク書込み用サブシステムの動作を制御するよう適合された書込みコントローラとを備え、
前記光ディスクは、第１の透明な層と第２の層との間に埋め込まれた反射層を有し、
前記反射層は、埋込みマークであるピット及びランドを規定し、
前記付帯データは、前記光ディスク上のオルタナティブマークにより表され、
前記オルタナティブマークは、合焦点光に対して十分に透明であるが、非焦点光に対して十分に反射性である１つ以上の色からなり、
光ディスクリーダが第１の埋込みマーク及び第１のオルタナティブマークの一方を別個に読み込むための第１の読み込み位置にあるときに、前記第１のオルタナティブマークが前記第１の読み込み位置と前記第１の埋込みマークとの間に位置するように、前記第１のオルタナティブマークは、前記第１の埋込みマークに対応して配置されている、装置。
【請求項７】
第１の透明な層と第２の層との間に埋め込まれた反射層と、
固有データに対応し、前記反射層により規定されたピット及びランドである埋込みマークと、
付帯データを表すオルタナティブマークとを含む光ディスクであって、
前記オルタナティブマークは、合焦点光に対して十分に透明であるが、非焦点光に対して十分に反射性である１つ以上の色からなり、
光ディスクリーダが第１の埋込みマーク及び第１のオルタナティブマークの一方を別個に読み込むための第１の読み込み位置にあるときに、前記第１のオルタナティブマークが前記第１の読み込み位置と前記第１の埋込みマークとの間に位置するように、前記第１のオルタナティブマークは、前記第１の埋込みマークに対応して配置され、
前記付帯データは、前記光ディスクを読み込む光ディスクプレーヤの動作を制御するために使用される、光ディスク。
【請求項８】
請求項７に記載の光ディスクであって、
前記光ディスクは、ソフトウェアプログラムに対応する埋込みマークを含み、
前記光ディスクプレーヤが、前記付帯データが１つ以上の特定の条件を満たさないと判定する場合、前記付帯データは、前記光ディスクプレーヤが前記光ディスクから前記ソフトウェアプログラムを読み込むことを妨げる、光ディスク。
【請求項９】
請求項８に記載の光ディスクであって、
前記光ディスクは、前記ソフトウェアプログラムのインストールを実行するためのインストールプログラムに対応する埋込みマークをさらに含み、
前記光ディスクプレーヤが、（１）前記光ディスクから前記インストールプログラムを読み込む場合、（２）前記インストールプログラムを実行する場合、（３）前記光ディスクから前記付帯データを読み込む場合、及び（４）前記付帯データが前記１つ以上の特定の条件を満たさないと判定する場合に、前記付帯データは、前記光ディスクプレーヤが前記光ディスクからの前記ソフトウェアプログラムの前記インストールを完了することを妨げる、光ディスク。
【請求項１０】
請求項１、２又は４に記載の装置であって、
前記オルタナティブマークは、合焦点光に対して十分に透明であるが、非焦点光に対して十分に反射性である１つ以上の色からなる、装置。
【発明の詳細な説明】
【技術分野】
【０００１】
本発明は光ディスクへの情報の書込み、及び光ディスクからの情報の読込みに関する。
【背景技術】
【０００２】
コンパクトディスク（ＣＤ）及びデジタル多用途ディスク（ＤＶＤ）など、光ディスクはデジタル情報を記憶し、流通させる為の低価格な、且つ普及している媒体である。多くのデジタル記憶／流通媒体のように、光ディスクは不正使用され易い。例えば、第１の人がコンピュータプログラムの入っているＣＤを購入し、そのプログラムをコンピュータにインストールする、これは一般に、許可されている使用である。しかし、第１の人が次いでそのディスクを第２の人に譲渡し、その人がそのプログラムを第２のコンピュータにインストールすることを行う、これは一般に、許可されていない使用である。著者／著作権所有者は、その人の著作権で保護されたマテリアルの不正使用に対する賠償を受け取ることができなくなる。従って、光ディスクの不正使用を防止する機構が継続的に求められている。
【発明の概要】
【課題を解決するための手段】
【０００３】
一実施形態においては、本発明は光ディスクプレーヤを有する装置であり、光ディスクプレーヤはディスク読込み用サブシステム及び読込みコントローラを備える。ディスク読込み用サブシステムは固有データ及び付帯データを光ディスクから読み込むようになされており、固有データは光ディスク上の従来の埋込みマークに対応し、付帯データは（ｉ）光ディスク上の従来にない埋込みマーク、及び（ｉｉ）光ディスク上のオルタナティブマークのうちの少なくとも一方に対応する。読込みコントローラは付帯データに基づいてディスク読込み用サブシステムの動作を制御するようになされている。
【０００４】
別の実施形態においては、本発明は光ディスクライタを有する装置であり、ライタはディスク書込み用サブシステム及び書込みコントローラを備える。ディスク書込み用サブシステムは付帯データを光ディスクに書き込むようになされており、付帯データは（ｉ）光ディスク上の従来にない埋込みマーク、及び（ｉｉ）光ディスク上のオルタナティブマークのうちの少なくとも一方に対応する。書込みコントローラはディスク書込み用サブシステムの動作を制御するようになされている。
【０００５】
さらなる別の実施形態においては、本発明は（ａ）固有データに対応する従来の埋込みマーク、並びに（ｂ）（ｉ）付帯データに対応する従来にない埋込みマーク、及び（ｉｉ）付帯データに対応するオルタナティブマークのうちの少なくとも一方を備える光ディスクであり、付帯データは光ディスクを読み込む光ディスクプレーヤの動作を制御する為に使用される。
【０００６】
さらなる別の実施形態においては、本発明は、固有データ及び付帯データの両方を有する光ディスクを作製する為の光ディスクライタ実装方法である。方法は（ａ）光ディスクライタが付帯データを受け取るステップ、並びに（ｂ）光ディスクライタが光ディスク上で、（ｉ）付帯データに対応する従来にない埋込みマーク、及び（ｉｉ）付帯データに対応するオルタナティブマークのうちの少なくとも一方を作成するステップを含む。
【０００７】
さらなる別の実施形態においては、本発明は、光ディスクプレーヤが付帯データを光ディスクから読み込む光ディスクプレーヤ実装方法であり、付帯データは（ｉ）光ディスク上の従来にない埋込みマーク、及び（ｉｉ）光ディスク上のオルタナティブマークのうちの少なくとも一方に対応する。光ディスクプレーヤは、付帯データに基づいて光ディスクの後続の使用を制御する。
【０００８】
本発明の他の態様、機能、及び利点は、以下の詳細な説明、添付の特許請求の範囲、及び添付の図面から、より完全に明らかになり、それらの図面における同様の参照数字は同様の要素、又は同一の要素を特定する。
【図面の簡単な説明】
【０００９】
【図１】典型的な光ディスク１００の図である。
【図２】典型的な光ディスク１００の一部分の断面図である。
【図３】本発明の特定の実施形態による光ディスクライタ３００のブロック図である。
【図４】本発明の特定の実施形態による光ディスクプレーヤ４００のブロック図である。
【図５】本発明のいくつかの実施形態による図１のディスク１００からの（例示的な埋込みマーク２０６及び２０８に対応する）埋込みデータの読込み、並びに（例示的なオルタナティブマーク５０１に対応する）オルタナティブデータの読込みの図である。
【図６】本発明の様々な実施形態による図４のプレーヤ４００の読込み工程の機能的流れ図である。
【図７】本発明の一実施形態による図４のプレーヤ４００の１つの可能な使用法を説明する流れ図である。
【発明を実施するための形態】
【００１０】
図１は典型的な光ディスク１００の図である。典型的な光ディスク１００は、中心スピンドル穴１０２、並びに４つの表面、即ち上面１０４、底面１０６、内側縁部１０８、及び外側縁部１１０を含む平坦な円形ディスクである。４つの表面は、本明細書においては、まとめて光ディスク１００の表面と呼ぶ。種々のタイプの光ディスク、例えばＣＤ、ＤＶＤ、ブルーレイがあり、そのそれぞれは仕様書によって規定された異なる物理的な特徴を有する。例えば、普及しているコンパクトディスク読込み専用フォーマット（ＣＤ−ＲＯＭ）は、ＥＣＭＡ標準１３０「読込み専用１２０ｍｍ光データディスク（ＣＤ−ＲＯＭ）上のデータ交換」、即ちＥＣＭＡ−１３０によって規定されている。ＥＣＭＡ−１３０は、厚さが１．２ミリメートル、半径が６０ミリメートルであり、直径１５ミリメートルのスピンドル穴を有する光ディスクとしてＣＤ−ＲＯＭを規定する。
【００１１】
図２は典型的な光ディスク１００の一部分の断面図である。光ディスク１００は複数の層を有する。最下層２０２は透明なポリカーボネートプラスチックである。層２０２の底面（即ちディスク１００の底面１０６）は平滑である。層２１０は反射性材料、一般にはアルミニウムである。層２１２は反射層２１０を保護するアクリル層である。層２１２の上面（即ち、ディスク１００の上面１０４）は平滑である。
【００１２】
本発明の特定の実施形態によれば、データは、埋込みマーク及びオルタナティブマークとして光ディスクに書き込まれる。図２に示すように、埋込みマークは、例えば、層２０２の上面上にエッチングされた、又は上面内に押圧されたピット２０８及びランド２０６を示す。ピット及びランドの寸法は具体的な光ディスクフォーマットによって決まる。ＣＤに関しては、ピットは、深さが１００ナノメートル、幅が５００ナノメートル、及び長さが最小８５０ナノメートルである。ＤＶＤに関しては、ピットは、深さが１２０ナノメートル、幅が３２０ナノメートル、及び長さが最小４００ナノメートルである。埋込みマークは、本明細書においては情報範囲と呼ぶディスクの範囲に書き込まれる。情報範囲の寸法もまた、フォーマット毎に異なる。ＥＣＭＡ−１３０は、内側半径が２２ミリメートル、及び外側半径が５９ミリメートルであるその範囲として、ＣＤ−ＲＯＭの情報範囲を規定する。埋込みマークは、典型的には、単一の、連続的な、螺旋状のトラックとして情報範囲に書き込まれる。埋込みマークとしてディスクに書き込まれるデータは本明細書においては埋込みデータと呼ぶ。
【００１３】
オルタナティブマークは、光ディスク上（例えば、光ディスクの内面上及び／又は外面上）の至る場所に形成される埋込みマーク以外の検出可能なマークを示す。オルタナティブマークは、レーザによってエッチング可能、手によって書込み可能、印刷機によって印刷可能、ステッカーなどの形態で貼付可能になる。オルタナティブマークは、光ディスクの外面、即ち上面１０４、底面１０６、内側縁部１０８、及び／又は外側縁部１１０に貼付可能になり、或いはオルタナティブマークは、光ディスク内に配置可能、例えば、ポリカーボネート層２０２の上面に、又は反射層２１０の底面に印刷可能になる。オルタナティブマークとしてディスクに書き込まれるデータはオルタナティブデータと呼ぶ。
【００１４】
光ディスクライタはデータを光ディスクに書き込む為のシステムである。ライタは、内蔵型デバイスの一部、例えばスタンドアロンＣＤバーナであっても、又は大型システムのサブシステム、例えばパーソナルコンピュータ若しくはラップトップコンピュータにおけるＣＤバーナであってもよい。
【００１５】
光ディスクプレーヤは、光ディスク上に記憶されたデータを読込み、出力する為のシステムである。プレーヤは、内蔵型デバイスの一部、例えばスタンドアロンＤＶＤプレーヤであっても、又は大型システムのサブシステム、例えばパーソナルコンピュータ若しくはラップトップコンピュータにおけるＤＶＤプレーヤであってもよい。典型的には、スタンドアロンであろうと、コンピュータであろうと、ライタを有するデバイス／システムはプレーヤも有することになるが、プレーヤを有するデバイス／システムはライタを備えていなくてもよいことになる。
【００１６】
光ディスク上のデータは固有又は付帯のいずれかである。固有データは光ディスクの情報範囲内に配置された埋込みデータ（本明細書においては、従来の埋込みデータと呼ぶ）を含む。付帯データは（ｉ）情報範囲の外側に配置された埋込みデータ（本明細書においては、従来にない埋込みデータと呼ぶ）、及び（ｉｉ）オルタナティブデータを含む。
【００１７】
光ディスクの使用は、具体的な目的で、光ディスク上のデータにアクセスすることを示す。例えば、ソフトウェアをインストールする光ディスクの典型的な使用は、動作するソフトウェアプログラムをコンピュータにインストールすることである。
【００１８】
本発明の特定の実施形態は、光ディスクの不正使用を防止する為に、付帯データを光ディスクに書込み、付帯データを光ディスクから読み込む為の方法及び装置（例えば、ライタ、及びプレーヤ）であり、付帯データは光ディスクを使用するのに必要である。
【００１９】
図３は本発明の特定の実施形態による光ディスクライタ３００のブロック図である。ライタ３００は書込みコントローラ３０２及びディスク書込み用サブシステム３０８を備える。書込みコントローラ３０２は信号３０４を介してディスク書込み用サブシステム３０８の動作を制御する。ディスク書込み用サブシステムは、ソース（図示せず）からデータ３１０を受け取り、データ３１０を図１及び図２の光ディスク１００など、光ディスク（図３に図示せず）に書き込む。ディスク書込み用サブシステムはまた、信号３０６を書込みコントローラに送信する。
【００２０】
ディスク書込み用サブシステムは固有データ及び付帯データの両方を光ディスクに書き込むようになされている。ディスク書込み用サブシステムは、例えば、従来にない埋込みマークをレーザで焼く、又はオルタナティブマークを作成するなどの１つ以上の異なるやり方で、付帯データを光ディスクに書き込むことが可能になる。一実施形態においては、ディスク書込み用サブシステムは、従来にない埋込みマークを有するマスタディスクの複製をする為の射出成形機である。
【００２１】
図４は本発明の特定の実施形態による光ディスクプレーヤ４００のブロック図である。プレーヤは光ディスクの固有データ及び付帯データを読み込むようになされている。プレーヤは読込みコントローラ４０２及びディスク読込み用サブシステム４０８を備える。
【００２２】
ディスク読込み用サブシステム４０８は、光ディスク（図４に図示せず）を読み込み、（ｉ）信号４０６を読込みコントローラ４０２に、及び（ｉｉ）信号４１０を下流の移動先（図示せず）に出力する。信号４１０の例は、パーソナルコンピュータにおけるＤＶＤプレーヤによって出力されるビデオ信号、又はＣＤプレーヤによって出力されるデータファイルになる。
【００２３】
読込みコントローラ４０２は信号４０４を介してディスク読込み用サブシステム４０８の動作を制御する。読込みコントローラ４０２の例は、スタンドアロンＤＶＤプレーヤにおける専用制御回路、又はパーソナルコンピュータの汎用プロセッサになり、そのプロセッサは音楽再生プログラムを実行する。読込みコントローラはディスク読込み用サブシステム４０８からの信号４０６を評価して、光ディスクのこれ以上の使用が可能であるかを決定することができる。読込みコントローラは、その決定を信号４０４を介してディスク読込み用サブシステムに伝達する。
【００２４】
ディスク読込み用サブシステム４０８は固有データ及び付帯データの両方を読み込むようになされている。ディスク読込み用サブシステムは、複数の主な構成要素（図４に図示せず）即ち、駆動モータ及び１つ以上のレンズ組立体を備える。駆動モータは光ディスクを回転させる。
【００２５】
概して、レンズ組立体が、光ディスク上の、又は光ディスク内の埋込みマーク及び／又はオルタナティブマークを検出する。典型的なレンズ組立体は（ｉ）１つ以上の光源（例えばレーザ）、（ｉｉ）１つ以上のレンズ、及び（ｉｉｉ）１つ以上の光学センサ（例えばフォトダイオード）を備える。レンズ組立体は固定であっても、又は可動であってもよい。可動レンズ組立体はさらに、（例えば、回転ディスク上の埋込みデータの螺旋状のトラックを辿る為に）径方向に、及び（例えば、レンズ組立体の焦点を合わせる為に）垂直に、レンズ組立体を移動させるトラッキング機構を備える。従来のレンズ組立体は可動である。本発明の特定の実施形態においては、トラッキング機構は（例えば、従来にない埋込みマークを読み込む為に）情報範囲の外側の範囲に、その関連するレンズ組立体を移動させる。
【００２６】
光ディスクを読み込む為に、ディスク読込み用サブシステム４０８の駆動モータは、光ディスクを回転させ、読込みの間、ディスクの回転を継続する。可動レンズ組立体は光ディスクに隣接した適切な場所に移動してデータを読み込む。
【００２７】
本発明の特定の実施形態においては、ディスク読込み用サブシステム４０８は、埋込みマーク及びオルタナティブマークの両方を読み込むようになされているレンズ組立体を備える。埋込みマークを読み込む為に、レンズ組立体はディスク内に埋め込まれたピット及びランド上に焦点を当てる。レンズ組立体におけるレーザ（複数可）は透明なポリカーボネート２０２を通して図２の反射層２１０に光を放つ。反射層はその光をまたレンズ組立体に反射する。ピット２０８及びランド２０６は異なる態様で反射光を変える。レンズ組立体の中のフォトダイオードは反射光の変化を検出し、対応する電気信号を出力する。
【００２８】
レンズ組立体は、類似の工程を使用してオルタナティブマークを読み込むことが可能である。具体的には、レンズ組立体におけるレーザ（複数可）はオルタナティブマークに光を放つ。オルタナティブマークは反射光を変える。レンズ組立体の中のフォトダイオードは反射光の変化を検出し、対応する電気信号を出力する。
【００２９】
オルタナティブマークを読み込む場合、レンズ組立体は、埋込みマークを読み込む為に使用される焦点設定と同じ焦点設定を使用することが可能になる。本発明の他の実施形態においては、２つの焦点設定は異なる。具体的には、オルタナティブマークを読み込む場合、レンズ組立体は、焦点が合わず、レンズ組立体の解像度を下げるが、またディスク全体を走査するのに必要な時間も短縮する。オルタナティブマークは、ナノメートルスケールの埋込みマークより大幅に大きいことが可能であるので、解像度の損失はオルタナティブマークの走査の精度に影響を及ぼさない。
【００３０】
本発明の他の実施形態においては、オルタナティブマークを検出する為の専用機構（即ち、オルタナティブマーク検出器）が、埋込みマークを読み込むようになされているレンズ組立体とは別のプレーヤに追加される。
【００３１】
図５は、本発明のいくつかの実施形態による図１のディスク１００からの（例示的な埋込みマーク２０６及び２０８に対応する）埋込みデータの読込み、並びに（例示的なオルタナティブマーク５０１に対応する）オルタナティブマークの読込みの図である。一実施形態においては、埋込みデータ及びオルタナティブデータの両方の読込みは単一のレンズ組立体５００によって実行可能である。光ディスクの埋込みマークを検出した場合、レンズ組立体は合焦点光５０６を埋込みマーク２０６及び２０８に放出する。オルタナティブマークを検出した場合、レンズ組立体は非焦点光５０２をディスク１００の底面１０６に放出し、この底面はオルタナティブマーク５０１を含む。
【００３２】
別の実施形態においては、ディスク読込み用サブシステムは、オルタナティブデータのみを読み込むようになされている個別のオルタナティブマーク検出器５０８を含むことが可能になる。オルタナティブマーク検出器も非焦点光５０２をディスク１００の底面１０６に放出し、この底面はオルタナティブマーク５０１を含む。
【００３３】
実施形態によっては、レンズ組立体５００又はオルタナティブマーク検出器５０８は反射光５０４の変化を検出し、それらの変化から得られる情報を図４の信号４０６及び／又は４１０を介して送信する。
【００３４】
図５に示すように、オルタナティブマーク５０１は、埋込みマーク２０６及び２０８に対応する（例えば、図５では、それらのマークの直下である）場所に、例えば表面１０６上に配置可能である。それらのオルタナティブマークが埋込みマークの読込みを妨げないようにする為には、オルタナティブマークは、合焦点光５０６に非常に透明であり、さらには非焦点光５０２に非常に反射性である色を使用して作成可能である。
【００３５】
図６は、本発明の様々な実施形態による図４のプレーヤ４００の読込み工程の機能的流れ図である。処理はステップ６０２で開始し、ステップ６０４に進み、ここで、プレーヤは付帯データを光ディスクから読み込む。次に、ステップ６０６で、付帯データを使用してプレーヤの動作を制御する。次いで、処理はステップ６０８で終了する。
【００３６】
図７は、本発明の一実施形態による図４のプレーヤ４００の１つの可能な使用法を説明する流れ図である。処理はステップ７０２で開始し、ステップ７０４に進み、ここで、光ディスクがプレーヤ４００に挿入され、ディスクの使用が開始される。次に、ステップ７０６で読込みコントローラ４０２は、信号４０４を介してディスク読込み用サブシステム４０８に付帯データの読込みを指示する。次に、ステップ７０８で、ディスク読込み用サブシステムは付帯データを読み込み、読み込んだ付帯データを信号４０６として読込みコントローラに出力する。次に、ステップ７１０で、読込みコントローラは付帯データを評価し、その評価に基づいて信号４０４を介してディスク読込み用サブシステム４０８の動作を制御し、例えば、読込みコントローラは、ディスクのこれ以上の使用を中止させることが可能になる。処理は、次いで、ステップ７１２で終了する。
【００３７】
例えば、光ディスクがソフトウェアプログラムの為のインストールディスクであると仮定しよう。インストールディスクの固有データは、１つ以上のソフトウェアプログラムファイル、及びそのソフトウェアプログラムファイルを移動先にインストールするインストールプログラムを含む。付帯データはインストールディスクの表面に印刷されたシリアル番号である。インストールディスクの使用は、ソフトウェアプログラムをある移動先に、例えば、パーソナルコンピュータ（ＰＣ）のハードドライブにインストールすることを含む。この例では、ディスク読込み用サブシステム４０８はＰＣの一部であり、読込みコントローラ４０２はインストールプログラムを実行するＰＣ内の汎用プロセッサである。
【００３８】
読込みコントローラ４０２は、読込みコントローラがシリアル番号を有効にすることが可能でない限り、例えば、シリアル番号が有効なシリアル番号の所定の範囲内にあると判定することが可能でない限り、ソフトウェアプログラムファイルを移動先にインストールしないことになる。従って、読込みコントローラは、信号４０４を介してディスク読込み用サブシステム４０８にシリアル番号をディスクから読み込むように指示する。ディスク読込み用サブシステム４０８がシリアル番号を読み込むことができない場合、例えば、ディスクドライブが付帯データを読み込むことができない従来技術のディスクドライブである場合、読込みコントローラはシリアル番号を受け取ることはなく、結果として、読込みコントローラはソフトウェアのこれ以上のインストールを中止させることになる。そうではなく、インストールディスクがプレーヤ、例えば、本発明の様々な実施形態による図４のプレーヤ４００により読み込まれた場合、ディスク読込み用サブシステム４０８はシリアル番号を読み込むことが可能になり、そのシリアル番号を、信号４０６を介して読込みコントローラに直接伝えることになる。読込みコントローラは、次いで、そのシリアル番号を有効にし、ディスク読込み用サブシステム４０８に、信号４０４を介してソフトウェアプログラムのインストールを継続するように指示することになる。
【００３９】
別の実施形態は、インストールプログラムがプレーヤ４００内の読込み専用メモリ（ＲＯＭ）内に記憶されることを除いて、上述の例に類似することになる。読込みコントローラ４０２は、インストールプログラムを光ディスクそれ自体からではなく、ＲＯＭからロードする。
【００４０】
本発明のさらなる他の実施形態は、付帯データを光ディスクから読み込み、付帯データを光ディスクに書き込むことの両方が可能な装置、例えば、一体型プレーヤ／ライタである。さらなる他の実施形態は、付帯データを含むディスクの複写を作成するようになされている一体型プレーヤ／ライタ、即ちディスク複写機である。
【００４１】
付帯データを読み込むようになされているプレーヤを持つことは、本発明の様々な実施形態により作成される光ディスクの使用が成功する為の前提条件である。本発明の様々な実施形態によるライタ及びプレーヤの製造、販売、使用は、慎重に制御されること、即ち、従来のディスクプレーヤ、ライタ、及び複写機により行われるようには、大量生産されることも、一般大衆に販売されることもなくなると期待される。
【００４２】
付帯データを読み込むことができるプレーヤへのアクセスを制限することにより、ディスクの不正使用が防止される。付帯データを読み込むことが可能なプレーヤのみが、本発明の実施形態により作成されるディスクを使用することが可能である。
【００４３】
本発明の実施形態は高価なソフトウェアを含む光ディスクに使用されることになると予想される。ソフトウェアの購入者は、ディスクの使用を制御する付帯データを含む光ディスク、及び付帯データを読み込むようになされているプレーヤの両方を受け取ることになる。インストールが完了すると、購入者はそのプレーヤをソフトウェア会社に返却する。
【００４４】
本発明は、方法、及びそれらの方法を実行する為の装置の形態で実施可能である。本発明はまた、磁気記録媒体、光記録媒体、固体メモリ、フロッピディスク、ＣＤ−ＲＯＭ、ハードドライブ、又は任意の他の機械可読記憶媒体など、有形媒体において実施されるプログラムコードの形態で実施可能であり、その場合、プログラムコードがコンピュータなど、機械内にロードされ、機械によって実行されると、その機械は、本発明を実行する為の装置になる。本発明はまた、例えば、記憶媒体内に記憶されようとも、或いは機械内にロード、及び／又は機械によって実行されようとも、プログラムコードの形態で実施可能であり、その場合、プログラムコードがコンピュータなど、機械内にロードされ、機械によって実行されると、その機械は、本発明を実行する為の装置になる。汎用プロセッサ上に実装された場合、プログラムコードのセグメントはプロセッサと組み合わさって、仕様論理回路に類似して動作する独自のデバイスを提供する。
【００４５】
別段の明記がない限り、それぞれの数値的な値及び範囲は、単語「約」又は「およそ」が値又は範囲の値の前に置かれているかのように近似していると解釈すべきである。
【００４６】
本発明の本質を説明する為に、記載及び図示されたパーツの詳細、材料、及び構成の様々な変更が、以下の特許請求の範囲において示されるように、本発明の範囲から逸脱することなく、当業者によってなされることが可能であることはさらに理解されよう。
【００４７】
特許請求の範囲における図面番号及び／又は図面参照符号の使用は、特許請求の範囲を解釈し易くする為に、主張される要旨の１つ以上の可能な実施形態を特定することを意図している。このような使用は、それらの特許請求の範囲を、対応する図面に示す実施形態に必ず限定すると解釈すべきでない。
【００４８】
本明細書に記載の例示的な方法のステップは、説明されている順番で実行すべき必要は必ずしもないことを理解すべきであり、このような方法のステップの順番は、単に例示に過ぎないと理解すべきである。同様に、追加のステップがこのような方法に含まれてよく、いくつかのステップが、本発明の様々な実施形態と一致する方法において、省略されても、又は組み合わせられてもよい。
【００４９】
以下の方法の特許請求の範囲における要素は、もしあるとすれば、対応する符号付けによる特定の順序で列挙されるが、その特許請求の範囲の列挙が、別段、それらの要素の一部、又は全てを実装する為の特定の順序を意味しない限り、それらの要素は、その特定の順序で実装されることに限定すべきであることを必ずしも意図するものでない。
【００５０】
本明細書における「一実施形態」又は「実施形態」を参照することは、その実施形態と関連して説明する特定の機能、構造、又は特徴が本発明の少なくとも１つの実施形態に含まれ得ることを意味している。本明細書における様々な場所での語句「一実施形態において」の使用は、必ずしも同じ実施形態を全て示しているわけではなく、必ずしも他の実施形態を除いて相互に別の実施形態、又は代替の実施形態を示しているわけでもない。同様のことが用語「実装形態」に適用する。
【図１】
0005393604.tif 000002
【図２】
0005393604.tif 000003
【図３】
0005393604.tif 000004
【図４】
0005393604.tif 000005
【図５】
0005393604.tif 000006
【図６】
0005393604.tif 000007
【図７】
0005393604.tif 000008